(57)【要約】【課題】室内ユニットの本体部の構造を変更することなく、室内ユニットの前面側に設けた意匠部材を変更し、又は第２のフロントパネルを変えることにより、多様なシリーズデザインに対応しうるようにした空気調和機の室内ユニット及びこれを備えた空気調和機を提供する。【解決手段】天面に吸込み口を有し、内部に熱交換器、送風機、風路などが設けられ、下部に熱交換器により熱交換された空気を吹出す吹出し口３が設けられた本体部１を備え、この本体部１の吹出し口３の上部に溝部４を設けると共に、本体部１の両サイドパネル５に溝部４に対応して切除部６を設け、溝部４及び切除部６に着脱可能に意匠部材７を取付けると共に、意匠部材７の一部を露出させて開閉かつ着脱可能に第１のフロントパネル１０を設け、又は溝部４及び切除部６を覆って開閉かつ着脱可能に第２のフロントパネル１１を設けた。【選択図】図１
2010169355.tif 000002
【特許請求の範囲】
【請求項１】
天面に吸込み口を有し、内部に熱交換器、送風機、風路などが設けられ、下部に前記熱交換器により熱交換された空気を吹出す吹出し口が設けられた本体部を備え、
該本体部の前記吹出し口の上部に溝部を設けると共に、前記本体部の両サイドパネルに前記溝部に対応して切除部を設け、前記溝部及び切除部に着脱可能に意匠部材を取付けると共に、該意匠部材の一部を露出させて開閉かつ着脱可能に第１のフロントパネルを設け、又は前記溝部及び切除部を覆って開閉かつ着脱可能に第２のフロントパネルを設けたことを特徴とする空気調和機の室内ユニット。
【請求項２】
前記意匠部材又は第２のフロントパネルの形状、材質、色彩、模様、質感などの異なるものを用意し、室内ユニットの本体部の構造を変えることなく前記意匠部材又は第２のフロントパネルを変えることにより、多様なシリーズデザインに対応しうるように構成したことを特徴とする請求項１記載の空気調和機の室内ユニット。
【請求項３】
請求項１又は２の室内ユニットを備えたことを特徴とする空気調和機。
【発明の詳細な説明】
【技術分野】
【０００１】
本発明は、空気調和機の室内ユニット及びこの室内ユニットを備えた空気調和機に関するものである。
【背景技術】
【０００２】
空気調和機の室内ユニットは、これを設置する室内環境などに対応して前面部の意匠を選択する場合が多い。
このような室内ユニットに、室内ユニットの構造を変更することなく、フロントパネルを他のデザインのフロントパネルと変えることにより、多様なシリーズデザインに対応するようにしたものがある（例えば、特許文献１参照）。
【先行技術文献】
【特許文献】
【０００３】
【特許文献１】特開平９−１０１０４６号公報（第１０−１１頁、図１７−１８）
【発明の概要】
【発明が解決しようとする課題】
【０００４】
特許文献１の室内ユニットは、フロントパネルは取外して交換することができるが、意匠性を向上させるためのムービングパネルをフロントパネルと一体に設けているため、フロントパネルの取外し、取付けあるいは洗浄の際などに落したりすると、ムービングパネルが傷付いたり破損したりするおそれがある。
【０００５】
本発明は、上記の課題を解決するためになされたもので、室内ユニットの本体部の構造を変更することなく、室内ユニットの前面側に設けた意匠部材を変更し、又は第２のフロントパネルを変えることにより、多様なシリーズデザインに対応しうるようにした空気調和機の室内ユニット及びこれを備えた空気調和機を提供することを目的としたものである。
【課題を解決するための手段】
【０００６】
本発明に係る空気調和機の室内ユニットは、天面に吸込み口を有し、内部に熱交換器、送風機、風路などが設けられ、下部に前記熱交換器により熱交換された空気を吹出す吹出し口が設けられた本体部を備え、該本体部の前記吹出し口の上部に溝部を設けると共に、前記本体部の両サイドパネルに前記溝部に対応して切除部を設け、前記溝部及び切除部に着脱可能に意匠部材を取付けると共に、該意匠部材の一部を露出させて開閉かつ着脱可能に第１のフロントパネルを設け、又は前記溝部及び切除部を覆って開閉かつ着脱可能に第２のフロントパネルを設けたものである。
【０００７】
また、本発明に係る空気調和機は、上記の室内ユニットを備えたものである。
【発明の効果】
【０００８】
本発明によれば、室内ユニットの前面側に設けた意匠部材を変更し、又は第２のフロントパネルを代えることにより、室内ユニットの本体部の構造を変えることなく、多様なシリーズデザインに対応することができる空気調和機の室内ユニット又はこれを備えた空気調和機を得ることができる。
【図面の簡単な説明】
【０００９】
【図１】本発明の実施の形態１に係る空気調和機の室内ユニットの第１のフロントパネルを取外した状態を示す斜視図である。
【図２】図１の意匠部材の斜視図である。
【図３】図１の第１のフロントパネルを取付けた状態を示す斜視図である。
【図４】図３の右側面図である。
【図５】図４の第１のフロントパネルを開放した状態を示す側面図である。
【図６】図５の要部の拡大図である。
【図７】本発明の実施の形態２に係る空気調和機の室内ユニットの斜視図である。
【図８】図７の右側面図である。
【図９】図８の第２のフロントパネルを取外した状態の要部の拡大図である。
【発明を実施するための形態】
【００１０】
［実施の形態１］
実施の形態１を示す図１〜図６において、１は室内ユニットの本体部で、内部には熱交換器、送風機、風路など（いずれも図示せず）が設けられており、天面には内側にフィルタ（図示せず）を有する吸込み口２が設けられている。また、前面側の下部から下面にかけて風路に連通する吹出し口３が設けられており、吹出し口３の上部の幅方向（図１の左右方向）には、吹出し口３に沿って溝部４が設けられている。
５は本体部１の両側において内部の部品等を覆うサイドパネルで、溝部４に対応した位置には、切除部６が設けられている。
【００１１】
７は本体部１の幅とほぼ同じ長さで断面ほぼ菱形状に形成され、本体部１の溝部４に挿入されて固定される意匠部材である。この意匠部材７の両端部より若干内側の上面には取付片８が設けられており、また取付片８の間には固定片９が設けられて、それぞれねじ挿通穴８ａ，９ａが設けられている。なお、サイドパネル５に設けた切除部６は、取付片８を含む意匠部材７の端部の形状に対応した形状となっている。また、意匠部材７は断面ほぼ菱形状の場合を示したが、他の形状であってもよい。
【００１２】
１０は上縁部に設けたヒンジ（図示せず）により、本体部１に開閉かつ着脱可能に装着されて前面部を覆うフロントパネルで、その幅方向は側面板１０ａが本体部１のサイドパネル５の両外面に嵌合しうる大きさとなっており、高さは本体部１の天面から、溝４に挿入された意匠部材７の上面までの高さとほぼ同じ高さになっている。
【００１３】
次に、上記のように構成した意匠部材７及びフロントパネル１０の室内ユニットへの取付け手順の一例について説明する。
先ず、意匠部材７を、その両端部をサイドパネル５の切除部６に嵌合すると共に、本体部１の溝部４に嵌入する。このとき、意匠部材７の両端面はサイドパネル５の外面から僅かに突出し（フロントパネル１０の側面板１０ａの板厚程度）、取付片８は切除部６内に位置する。この状態で、取付片８及び固定片９のねじ挿通穴８ａ，９ａに挿通したねじ１５により、意匠部材７を本体部１に固定する。
【００１４】
ついで、フロントパネル１０の上縁部を本体部１にヒンジ（図示せず）により開閉かつ着脱可能に連結し、下部を本体部１に設けた係止部（図示せず）に係止して取付ける。このとき、フロントパネル１０の側面板１０ａは、図３、図４に示すように、サイドパネル５の外面に嵌合し、その下端部は意匠部材７の上面に当接する。そして、意匠部材７の上面及び下面の一部は、フロントパネル１０及び本体部１から露出し、両端面はサイドパネル５の外側面から露出する。
【００１５】
本実施の形態においては、形状、材質、色や模様、質感など、デザインのバリエーションの異なる意匠部材７を用意しておき、この中から所望のデザインの意匠部材７を選択して取付けることにより、多様なシリーズデザインに対応することができる。勿論、必要に応じて、その都度バリエーションの異なる意匠部材７を設計してもよい。
【００１６】
上記のように構成した本実施の形態によれば、開閉かつ着脱可能なフロントパネル１０を、意匠部材７と別体に、かつ意匠部材７が露出するようにその上方に設けたので、室内ユニットの本体部１の構造を変えることなく、形状や意匠などの異なる意匠部材７を適宜選択して用いることにより、多様なシリーズデザインに容易に対応することができる。
また、意匠部材７をフロントパネル１０と別体に設けたので、フロントパネル１０の取外し、取付け、洗浄などの際に、若しフロントパネル１０を落下させても、意匠部材が傷ついたり破損したりすることがない。
【００１７】
［実施の形態２］
図７〜図９に本発明の実施の形態２に係る空気調和機の室内ユニットを示す。なお、実施の形態１と同じ部分にはこれと同じ符号を付し、説明を省略する。
本実施の形態は、室内ユニットの本体部１の構成は実施の形態１の場合と同じであるが、意匠部材７を使用せず、フロントパネルの構造を変えることにより、多様なシリーズデザインに対応するようにしたものである。
【００１８】
本実施の形態に係るフロントパネル１１（以下、第２のフロントパネルといい、実施の形態１のフロントパネル１０を第１のフロントパネルという）は、その幅は実施の形態１の場合と同様に、両側面板１１ａがサイドパネル５の両外面に嵌合しうる大きさであるが、その高さは、本体部１の天面から溝部４の下端に達する高さとなっており、第１のフロントパネル１０より高く形成されている。
【００１９】
本実施の形態においては、本体部１の溝部４には意匠部材７を装着することなく、開口したままの状態で第２のフロントパネル１１の上縁部をヒンジを介して本体部１に開閉かつ着脱可能に連結し、下部を本体部１の係止部に係止する。このとき、第２のフロントパネル１１の両側面板１１ａは、図７、図８に示すようにサイドパネル５の外面に嵌合して切除部６を覆い、下部は溝部４を覆って取付けられる。
【００２０】
本実施の形態においては、形状、材質、色や模様、質感など、デザインのバリエーションの異なる第２のフロントパネル１１を用意しておき、この中から所望のデザインの第２のフロントパネル１１を選択して取付けることにより、多様なシリーズデザインに対応することができる。勿論、必要に応じて、その都度バリエーションの異なる第２のフロントパネル１１を設計してもよい。
【００２１】
上記のように構成した本実施の形態によれば、室内ユニットの本体部１の構造を変えることなく、形状や意匠などの異なる第２のフロントパネル１１を適宜選択して用いるようにしたので、多様なシリーズデザインに容易に対応することができる。なお、本実施の形態は意匠部材７を用いないため、実施の形態１に比べてその分コストを低減することができる。
【００２２】
上記の説明では、図示の室内ユニットに本発明を実施した場合を示したが、これに限定するものではなく、他の構造の室内ユニットにも本発明を実施することができる。
【００２３】
［実施の形態３］
本実施の形態は、実施の形態１又は２に係る室内機を備えた空気調和機であって、空気調和機の多様なシリーズデザインに容易に対応することができる。
【符号の説明】
【００２４】
１  本体部、２  吸込み口、３  吹出し口、４  溝部、５  サイドパネル、６  切除部、７  意匠部材、１０  第１のフロントパネル、１１  第２のフロントパネル。
【図１】
2010169355.tif 000003
【図２】
2010169355.tif 000004
【図３】
2010169355.tif 000005
【図４】
2010169355.tif 000006
【図５】
2010169355.tif 000007
【図６】
2010169355.tif 000008
【図７】
2010169355.tif 000009
【図８】
2010169355.tif 000010
【図９】
2010169355.tif 000011